(57)【特許請求の範囲】
【請求項１】
少なくとも、ディスクを駆動するディスク駆動機構と、光ピックアップをディスクの半径方向に搬送するピックアップ搬送機構が搭載されたシャーシと、
前記シャーシ上の定位置に固定された固定基板と、
前記光ピックアップと前記固定基板とを電気的に接続するフレキシブル基板と、
前記光ピックアップよりもディスク外周側の空間内に形成された前記フレキシブル基板によるＵ字状の折り返し部と、
前記シャーシに緩衝部材を介すことなく固定され、該シャーシ上の搭載物をディスク面に沿った面で第１の方向から覆う第１のカバーと、
緩衝部材を介して前記シャーシの少なくとも一部を支持するドロワ筐体と、
前記ドロワ筐体に固定され、前記シャーシ上の搭載物をディスク面に沿った面で前記第１の方向の反対の第２の方向から覆う第２のカバーとを具備し、
前記Ｕ字状の折り返し部から前記固定基板までの前記フレキシブル基板が、前記第１のカバーと前記光ピックアップとの間の空間を通して配設されていること
を特徴とするディスク再生装置。
【請求項２】
少なくとも、ディスクを駆動するディスク駆動機構と、光ピックアップをディスクの半径方向に搬送するピックアップ搬送機構が搭載されたシャーシと、
前記シャーシ上の定位置に固定された固定基板と、
前記光ピックアップと前記固定基板とを電気的に接続するフレキシブル基板と、
前記光ピックアップよりもディスク外周側の空間内に形成された前記フレキシブル基板によるＵ字状の折り返し部と、
前記シャーシに緩衝部材を介すことなく固定され、該シャーシ上の搭載物をディスク面に沿った面で第１の方向から覆う第１のカバーと、
緩衝部材を介して前記シャーシの少なくとも一部を支持するドロワ筐体と、
前記ドロワ筐体に固定され、前記シャーシ上の搭載物をディスク面に沿った面で前記第１の方向の反対の第２の方向から覆う第２のカバーとを具備し、
前記Ｕ字状の折り返し部から前記固定基板までの前記フレキシブル基板が前記第１のカバーと前記光ピックアップとの間の空間を通して配設され、且つ該第１のカバーに固定されていることを特徴とするディスク再生装置。
【請求項３】
少なくとも、ディスクを駆動するディスク駆動機構と、光ピックアップをディスクの半径方向に搬送するピックアップ搬送機構が搭載されたシャーシと、
前記シャーシ上の定位置に固定された固定基板と、
前記光ピックアップと前記固定基板とを電気的に接続するフレキシブル基板と、
前記光ピックアップよりもディスク外周側の空間内に形成された前記フレキシブル基板によるＵ字状の折り返し部と、
前記シャーシに緩衝部材を介すことなく固定され、該シャーシ上の搭載物をディスク面に沿った面で第１の方向から覆う第１のカバーと、
緩衝部材を介して前記シャーシの少なくとも一部を支持するドロワ筐体と、
前記ドロワ筐体に固定され、前記シャーシ上の搭載物をディスク面に沿った面で前記第１の方向の反対の第２の方向から覆う第２のカバーとを具備し、
前記Ｕ字状の折り返し部から前記固定基板までの間の前記フレキシブル基板の少なくとも一部が、前記第１のカバーの内壁面に沿って近接配置されていることを特徴とするディスク再生装置。
【請求項４】
少なくとも、ディスクを駆動するディスク駆動機構と、光ピックアップをディスクの半径方向に搬送するピックアップ搬送機構が搭載されたシャーシと、
前記シャーシ上の定位置に固定された固定基板と、
前記光ピックアップと前記固定基板とを電気的に接続するフレキシブル基板と、
前記光ピックアップよりもディスク外周側の空間内に形成された前記フレキシブル基板によるＵ字状の折り返し部と、
前記シャーシに緩衝部材を介すことなく固定され、該シャーシ上の搭載物をディスク面に沿った面で第１の方向から覆う第１のカバーと、
緩衝部材を介して前記シャーシの少なくとも一部を支持するドロワ筐体と、
前記ドロワ筐体に固定され、前記シャーシ上の搭載物をディスク面に沿った面で前記第１の方向の反対の第２の方向から覆う第２のカバーとを具備し、
前記Ｕ字状の折り返し部から前記固定基板までの間の前記フレキシブル基板の少なくとも一部が、前記第１のカバーの内壁面に沿って近接配置され、且つ該第１のカバーに固定されていることを特徴とするディスク再生装置。
【発明の詳細な説明】
【０００１】
【発明の属する技術分野】
本発明は、例えばＣＤ−ＲＯＭ、ＤＶＤなどの光ディスクの再生を行うディスク再生装置に関する。
【０００２】
【従来の技術】
近年、ノート型パソコンなどの小型情報処理装置に組み込まれる薄型の光ディスクドライブは、ディスクを駆動再生する機構を搭載したドロワ（ｄｒａｗｅｒ：引き出しの意味）と呼ばれる可動体を固定部より出し入れ自在としたものが主流である。このような光ディスクドライブのドロワ内の固定基板と光ピックアップとは、フレキシブルプリンテッドサーキット（以下、ＦＰＣと呼ぶ。）により電気的に接続されている。
【０００３】
図４に従来の光ディスクドライブにおいてドロワ内のＦＰＣの引き回しの状態を示す。
【０００４】
同図において、２１はメカシャーシである。このメカシャーシ２１にはこれと平行にガイドシャフト２２が配設されており、光ピックアップ２３は、図４の
（ａ）と（ｂ）に示すように、このガイドシャフト２２に図示しない光ディスクの半径方向へ移動自在に支持されている。また、メカシャーシ２１は、ドロワ筐体２５およびこのドロワ筐体２５にネジ止め固定されたドロワ蓋２４に、ダンパーゴム等の緩衝部材２６を介して支持されており、これによりドロワ内部の振動発生源からの振動例えば偏芯ディスクを高速駆動した際に発生する振動の外部伝達を抑制している。
【０００５】
このドロワ３０の両面は、内部構造の保護および美観を目的にドロワ蓋２４とメカカバー２７によって覆われている。メカカバー２７はドロワ３０において光ディスクが搭載される側の面を覆うカバーである。このメカカバー２７には光ピックアップ２３のレンズ位置を露出するための開口部並びにディスク駆動機構（ディスクテーブルおよびディスクチャッキング部）を露出するための開口部が設けられている。そしてこのメカカバー２７はメカシャーシ２１にネジ２８で固定されている。
【０００６】
ドロワ３０内の図示しない固定基板と光ピックアップ２３とを電気的に接続するＦＰＣ２９は、光ピックアップ２３のディスク外周側の面から引き出され、Ｕ字状に折り返し部２９ａを形成して、光ピックアップ２３の位置よりディスク内周側に配設された図示しない固定基板までの間に引き回されている。Ｕ字状の折り返し部２９ａから図示しない固定基板までのＦＰＣ２９はドロワ蓋２４の内壁面に沿って近接するように配置されている。
【０００７】
しかしながら、このようなＦＰＣ２９の引き回し構造では、光ピックアップ２３がディスク内周側に向けて移動される際に光ピックアップ２３によるＦＰＣ２９の巻き込みが発生し、これによりＦＰＣ２９に半永久的な変形が発生したり、最悪の場合ＦＰＣ２９の信号線の断線破壊等が発生するおそれがある。
【０００８】
光ピックアップ２３によるＦＰＣ２９の巻き込みが発生する原因の一つに、ディスク駆動再生機構を搭載し且つメカカバー２７がネジ止めされたメカシャーシ２１がドロワ筐体２５およびドロワ蓋２４に対してフローティング構造で支持されていることが挙げられる。すなわち、内部振動等による光ピックアップ２３とドロワ蓋２４との位置関係の変動は、図５に示すように、ドロワ蓋２４の内壁面に沿って近接配置されたＦＰＣ２９に撓み２９ｂを瞬間的に発生させることがあり、この撓み部分２９ｂをきっかけに光ピックアップ２３によるＦＰＣ２９の巻き込み現象が発生する。
【０００９】
そこで、ＦＰＣ２９をドロワ蓋２４に部分的に固定して光ピックアップ２３によるＦＰＣ２９の巻き込みを防止する方法が考えられる。しかしながら、ディスクドライブの組立工程において、ドロワ蓋２４の取り付けは、ドロワ組立工程の最終段階で行われ、解体時は初期段階にその取り外しが行われる都合上、ドロワ蓋２４にＦＰＣ２９を固定する方式は、組立作業効率の低下、およびメンテナンス時の解体作業効率の低下を招くという別問題が発生していた。
【００１０】
【発明が解決しようとする課題】
このように従来のディスク再生装置では、光ピックアップの搬送時の光ピックアップによるフレキシブル基板の巻き込み事故の発生が問題となっていた。また、このような巻き込み事故を防止すべくフレキシブル基板をドロワ蓋に接着固定する方法では、組立作業やメンテナンス時の解体作業が困難になるという問題があった。
【００１１】
本発明はこのような課題を解決するためのもので、光ピックアップ搬送時の光ピックアップによるフレキシブル基板の巻き込み現象が発生することを効果的に防止することのできるディスク再生装置の提供を目的としている。
【００１２】
【課題を解決するための手段】
上記目的を達成するために、本発明のディスク再生装置は、請求項１に記載されるように、少なくとも、ディスクを駆動するディスク駆動機構と、光ピックアップをディスクの半径方向に搬送するピックアップ搬送機構が搭載されたシャーシと、前記シャーシ上の定位置に固定された固定基板と、前記光ピックアップと前記固定基板とを電気的に接続するフレキシブル基板と、前記光ピックアップよりもディスク外周側の空間内に形成された前記フレキシブル基板によるＵ字状の折り返し部と、前記シャーシに緩衝部材を介すことなく固定され、該シャーシ上の搭載物をディスク面に沿った面で第１の方向から覆う第１のカバーと、緩衝部材を介して前記シャーシの少なくとも一部を支持するドロワ筐体と、前記ドロワ筐体に固定され、前記シャーシ上の搭載物をディスク面に沿った面で前記第１の方向の反対の第２の方向から覆う第２のカバーとを具備し、前記Ｕ字状の折り返し部から前記固定基板までの前記フレキシブル基板が、前記第１のカバーと前記光ピックアップとの間の空間を通して配設されていることを特徴とする。
【００１３】
また、本発明のディスク再生装置は、請求項２に記載されるように、少なくとも、ディスクを駆動するディスク駆動機構と、光ピックアップをディスクの半径方向に搬送するピックアップ搬送機構が搭載されたシャーシと、前記シャーシ上の定位置に固定された固定基板と、前記光ピックアップと前記固定基板とを電気的に接続するフレキシブル基板と、前記光ピックアップよりもディスク外周側の空間内に形成された前記フレキシブル基板によるＵ字状の折り返し部と、前記シャーシに緩衝部材を介すことなく固定され、該シャーシ上の搭載物をディスク面に沿った面で第１の方向から覆う第１のカバーと、緩衝部材を介して前記シャーシの少なくとも一部を支持するドロワ筐体と、前記ドロワ筐体に固定され、前記シャーシ上の搭載物をディスク面に沿った面で前記第１の方向の反対の第２の方向から覆う第２のカバーとを具備し、前記Ｕ字状の折り返し部から前記固定基板までの前記フレキシブル基板が前記第１のカバーと前記光ピックアップとの間の空間を通して配設され、且つ該第１のカバーに固定されていることを特徴とする。
【００１４】
さらに、本発明のディスク再生装置は、請求項３に記載されるように、少なくとも、ディスクを駆動するディスク駆動機構と、光ピックアップをディスクの半径方向に搬送するピックアップ搬送機構が搭載されたシャーシと、前記シャーシ上の定位置に固定された固定基板と、前記光ピックアップと前記固定基板とを電気的に接続するフレキシブル基板と、前記光ピックアップよりもディスク外周側の空間内に形成された前記フレキシブル基板によるＵ字状の折り返し部と、前記シャーシに緩衝部材を介すことなく固定され、該シャーシ上の搭載物をディスク面に沿った面で第１の方向から覆う第１のカバーと、緩衝部材を介して前記シャーシの少なくとも一部を支持するドロワ筐体と、前記ドロワ筐体に固定され、前記シャーシ上の搭載物をディスク面に沿った面で前記第１の方向の反対の第２の方向から覆う第２のカバーとを具備し、前記Ｕ字状の折り返し部から前記固定基板までの間の前記フレキシブル基板の少なくとも一部が、前記第１のカバーの内壁面に沿って近接配置されていることを特徴とする
【００１５】
また、本発明のディスク再生装置は、請求項４に記載されるように、少なくとも、ディスクを駆動するディスク駆動機構と、光ピックアップをディスクの半径方向に搬送するピックアップ搬送機構が搭載されたシャーシと、前記シャーシ上の定位置に固定された固定基板と、前記光ピックアップと前記固定基板とを電気的に接続するフレキシブル基板と、前記光ピックアップよりもディスク外周側の空間内に形成された前記フレキシブル基板によるＵ字状の折り返し部と、前記シャーシに緩衝部材を介すことなく固定され、該シャーシ上の搭載物をディスク面に沿った面で第１の方向から覆う第１のカバーと、緩衝部材を介して前記シャーシの少なくとも一部を支持するドロワ筐体と、前記ドロワ筐体に固定され、前記シャーシ上の搭載物をディスク面に沿った面で前記第１の方向の反対の第２の方向から覆う第２のカバーとを具備し、前記Ｕ字状の折り返し部から前記固定基板までの間の前記フレキシブル基板の少なくとも一部が、前記第１のカバーの内壁面に沿って近接配置され、且つ該第１のカバーに固定されていることを特徴とする。
【００１６】
本発明のディスク再生装置は、以上のように、フレキシブル基板を第１のカバーの内壁に沿って近接配置することで次のような作用、効果が得られる。すなわち、振動発生時、第１のカバーはシャーシおよび光ピックアップと一体に振動するから、第１のカバーの内壁面に沿って近接配置されたフレキシブル基板に撓みが発生する確率が大幅に低減される。したがって、光ピックアップによるフレキシブル基板の巻き込み現象の発生を効果的に抑制することが可能になる。  さらに、Ｕ字状の折り返し部と固定基板との間のフレキシブル基板を第１のカバーの内面に部分的に固定することによって、光ピックアップによるフレキシブル基板の巻き込みをさらに有効に防止することが可能となる。また、フレキシブル基板を第１のカバーに固定することにより、組立作業効率およびメンテナンス時の解体作業効率が向上する。
【００１７】
【発明の実施の形態】
以下、本発明を実施する場合の形態について図面に基づき説明する。
【００１８】
図１は本発明を適用した、いわゆるノート型パソコン対応のＣＤ−ＲＯＭドライブの構成を示す斜視図である。
【００１９】
このＣＤ−ＲＯＭドライブは、図示しないディスクを駆動および再生するためのディスク駆動・再生機構が搭載された可動体であるドロワ１と、このドロワ１を収納可能なキャビネット２から構成されている。なお、キャビネット２は上側キャビネットと下側キャビネットから構成されているが、同図では上側キャビネットの図示を省略してある。
【００２０】
キャビネット２の両側内壁にはドロワ１をガイド支持するための断面コ字状のガイドレール３が形成されており、これらのガイドレール３にドロワ１の両側に突設されたガイド突起４が図示しないスライドレールを介して各々嵌め込まれている。
【００２１】
ドロワ１には、ディスクの外形に対応した凹部からなるディスク搭載部６と、ディスクモータ（図示せず）およびターンテーブル７などのディスク駆動機構と、ディスクから情報を読み出す光ピックアップ８と、この光ピックアップ８をディスクの半径方向に搬送する図示しないピックアップ送り機構などが設けられている。ディスクテーブル７には、光ディスクのセンタ孔と嵌合してディスクをディスクテーブル７の中央に位置決めし保持するためのディスクチャック機構１０が設けられている。
【００２２】
図２にドロワ１の構成をさらに詳細に示す。同図は、ドロワ１のディスク搭載部（凹部）６の一部を覆っているメカカバー１１を外してドロワ内を露出させた状態を示している。このメカカバー１１には光ピックアップ８のレンズ位置を露出するための開口部１１ａ並びにディスク駆動機構（ディスクテーブル７およびディスクチャッキング機構１０）を露出するための開口部１１ｂが設けられている。このメカカバー１１はドロワ１のメカシャーシ１２に複数のネジ（図示せず）と爪１３によって固定されている。
【００２３】
一方、ドロワ１のディスク搭載面に対して反対側の面はドロワ蓋１４によって全体的に覆われており、このドロワ蓋１４とメカカバー１１によってドロワ１の内部構造に対する保護と美観の保持がなされている。
【００２４】
同図に示すように、ドロワ１からメカカバー１１を取り外すと、ディスク駆動機構の下方に配置された図示しない固定基板と光ピックアップ８とを電気的に接続するＦＰＣ９がＵ字状の折り返し部９ａを形成して配置されていることが分かる。なお、前記の固定基板は、例えばディスク駆動機構のモータ（ディスクモータ）等を搭載した基板である。
【００２５】
図３はドロワ１の内部構造を示す側面断面図である。
【００２６】
同図において、１２はメカシャーシである。このメカシャーシ１２にはこれと平行にガイドシャフト１７が配設されており、光ピックアップ８はこのガイドシャフト１７に図示しない光ディスクの半径方向へ移動自在に支持されている。また、メカシャーシ１２には、ディスク駆動機構（ディスクテーブル７およびディスクチャッキング機構１０）も搭載されている。このメカシャーシ１２は、ドロワ筐体１８およびこのドロワ筐体１８にネジ止め固定されたドロワ蓋１４に、ダンパーゴム等の緩衝部材１９を介して支持されており、これによりドロワ内部の振動発生源からの振動例えば偏芯ディスクを高速駆動した際に発生する振動の外部伝達の抑制、および外部からの衝撃吸収を行っている。
【００２７】
ドロワ１のディスク面に各々対向する両面は、内部構造の保護および美観を目的にドロワ蓋１４とメカカバー１１によって覆われている。光ディスクが搭載される側の面を覆うメカカバー１１はメカシャーシ１２にネジ１５で固定されている。
【００２８】
ドロワ１内の図示しない固定基板と光ピックアップ８とを電気的に接続するＦＰＣ９は、光ピックアップ８のディスク外周側より引き出され、Ｕ字状の折り返し部９ａを形成して、光ピックアップ８の位置よりディスク内周側に配設された図示しない固定基板までの間に引き回されている。Ｕ字状の折り返し部９ａから図示しない固定基板までのＦＰＣ９はメカカバー１１の内壁面に沿ってこれに近接するようにして配置されている。
【００２９】
このように、Ｕ字状の折り返し部９ａから図示しない固定基板までのＦＰＣ９をメカカバー１１の内壁面に沿って近接配置することで、メカカバー１１は光ピックアップ８およびメカシャーシ１２と一体で振動するから、メカカバー１１の内壁面に沿って近接配置されたＦＰＣ９に従来例の図５で示したような撓み部分２９ｂが発生することがなくなる。また、振動時に光ピックアップ８とメカカバー１１との距離も変動しないことから光ピックアップ８の搬送時のＦＰＣ９との接触も回避できる確率が高くなる。このような原理により光ピックアップ８によるＦＰＣ９の巻き込み現象の発生を抑制することが可能になる。
【００３０】
さらに、Ｕ字状の折り返し部９ａから図示しない固定基板までのＦＰＣ９はメカカバー１１の内壁面に部分的に固定されている。図３（ａ）は光ピックアップ８がその搬送可能な範囲のディスク最外周側に位置している時、図３（ｂ）は逆にディスク最内周側に位置している時の状態を示している。
【００３１】
図３（ｂ）のａ点は、光ピックアップ８がディスク最内周側に位置している時の、ＦＰＣ９の折り返し部９ａの開始／終了位置である。少なくとも、このａ点の位置或いはａ点からディスク内周側の任意の位置までの間で、ＦＰＣ９をメカカバー１１に固定するようにすれば、ＦＰＣ９の折り返し部９ａから図示しない固定基板までの間のＦＰＣ９の位置（姿勢）をより安定化することができ、光ピックアップ８によるＦＰＣ９の巻き込みをほぼ完全に防止することが可能となる。  なお、ＦＰＣ９をメカカバー１１に固定するための具体的な方法としては、両面テープによる貼り付け方法、ビス止めによる方法、メカカバー１１にＦＰＣ９を保持（引っ掛け、差し込み、挟み込み等）するための爪を設ける方法、などを挙げることができる。
【００３２】
また、このようにＵ字状の折り返し部９ａから固定基板までのＦＰＣ９をメカカバー１１に固定することにより、組立作業効率およびメンテナンス時の解体作業効率が向上する。その理由は次の通りである。
【００３３】
メカカバーではなくドロワ蓋にＦＰＣに固定する方法については従来の技術として述べたが、この場合、ドロワ蓋の取り付けは少なくともドロワの組立工程の最終段階に行われ、解体時は初期段階にその取り外しが行われることから、組立作業やメンテナンス時の解体作業でドロワ蓋に固定されたＦＰＣが邪魔になり、作業効率の低下を招くことになる。これに対して、本実施形態のようにＦＰＣ９をメカカバー１１に固定することによって、ドロワ内部を開放するためのドロワ蓋１４の取り外しや取り付けが容易になる。
【００３４】
以上本実施形態によれば、新たな部品の追加を行うことなく、光ピックアップによるＦＰＣの巻き込み現象を防止することが可能となり、薄型のＣＤ−ＲＯＭドライブを提供することができる。
【００３５】
本発明は、このようにＣＤ−ＲＯＭを再生する装置に限らず、その他のディスク状記録媒体例えばＤＶＤを再生するドライブなどにも適用可能である。
【００３６】
【発明の効果】
以上説明したように本発明のディスク再生装置によれば、フレキシブル基板を第１のカバーの内壁に沿って近接配置することで、振動発生時、第１のカバーはシャーシおよび光ピックアップと一体に振動するから、第１のカバーの内壁面に沿って近接配置されたフレキシブル基板に撓みが発生する確率が大幅に低減される。したがって、光ピックアップによるフレキシブル基板の巻き込み現象の発生を効果的に抑制することが可能になる。
【００３７】
さらに、本発明によれば、Ｕ字状の折り返し部から固定基板までの間のフレキシブル基板を第１のカバーの内壁面に固定することによって、その部分のフレキシブル基板を第１のカバーの内面に沿って近接配置された姿勢に安定に維持することができ、光ピックアップによるフレキシブル基板の巻き込みをさらに有効に防止することが可能となる。
【００３８】
また、本発明によれば、フレキシブル基板を第１のカバーに固定することにより、組立作業効率およびメンテナンス時の解体作業効率が向上する。
【図面の簡単な説明】
【図１】本発明を適用した一実施形態であるＣＤ−ＲＯＭドライブの全体的な構成を示す斜視図である。
【図２】本実施形態のＣＤ−ＲＯＭドライブのドロワの構成を示す斜視図である。
【図３】本実施形態のＣＤ−ＲＯＭドライブのドロワの内部構造を示す側面断面図である。
【図４】従来のＣＤ−ＲＯＭドライブのドロワの内部構造を示す側面断面図である。
【図５】従来のＣＤ−ＲＯＭドライブで発生する光ピックアップによるＦＰＣの巻き込み現象を示す図である。
【符号の説明】
１……ドロワ
７……ターンテーブル
８……光ピックアップ
９……ＦＰＣ
９ａ……ＦＰＣのＵ字状の折り返し部
１０……ディスクチャック機構
１１……メカカバー
１２……メカシャーシ
１４……ドロワ蓋
１７……ガイドシャフト
１９……緩衝部材
【図１】
0004083269.tif 000002
【図２】
0004083269.tif 000003
【図３】
0004083269.tif 000004
【図４】
0004083269.tif 000005
【図５】
0004083269.tif 000006